(57)【要約】 【課題】通常通路幅に設置する一般用自動改札機又はワイド通路幅に設置するワイド用自動改札機の何れにも使用可能な自動改札機を提供する。【解決手段】自動改札機１に対して通路側に所定の角度回動動作を行うドア本体部７０と、このドア本体部７０先端から通路側に向かって進出又は後退可能にドア本体部内に収納されたドア可動部７１と、このドア可動部を進出又は後退駆動する駆動手段７３と、ドア本体部の回動動作及びドア可動部の駆動手段の動作を制御するドア制御部７５と、を備え、前記ドア制御部は、前記自動改札機を通常通路幅に設置して使用する場合は、前記ドア可動部を後退させ、前記ドア本体部内に収納した状態で前記ドア本体部を回動動作し、ワイド通路幅に設置して使用する場合は、前記駆動手段を制御することにより前記ドア可動部を進出又は後退駆動することにより、通常通路幅及びワイド通路幅の何れにも使用可能な自動改札機。【選択図】  図１
2015056024.tif 000002
【特許請求の範囲】
【請求項１】
自動改札機の通路を通過する利用者の通行を許可するドア開機能及び阻止するドア閉機能を備えた自動改札機であって、
前記自動改札機に対して前記通路側に所定の角度回動動作を行うドア本体部と、
このドア本体部先端から通路側に向かって進出又は後退可能に当該ドア本体部内に収納されたドア可動部と、
このドア可動部を進出又は後退駆動する駆動手段と、
前記ドア本体部の回動動作及び前記ドア可動部の駆動手段の動作を制御するドア制御部と、
を備え、
前記ドア制御部は、
前記自動改札機が通常通路幅モードに設定された場合には、前記ドア可動部を前記ドア本体部内に収納した状態で前記ドア本体部を回動動作し、
前記自動改札機が通常通路幅よりは広いワイド通路幅モードに設定された場合は、前記駆動手段を制御することにより前記ドア可動部を進出又は後退駆動することを特徴とする自動改札機。
【請求項２】
前記ドア制御部は、
前記ドア閉時、前記ドア本体部を初期状態から所定の角度回動動作し、この回動動作の際、前記ドア可動部を通路側に所定の長さに到達するまで進出し、
前記ドア開時、前記ドア本体部を閉状態から所定の角度ドア閉時の回動動作に対して反対方向に反転動作し、この反転動作の際、前記ドア可動部を後退してドア本体部内に収納して初期状態に復帰する請求項１記載の自動改札機。
【請求項３】
前記駆動手段は、油圧シリンダで構成した請求項１記載の自動改札機。
【発明の詳細な説明】
【技術分野】
【０００１】
本発明の実施形態は、自動改札機に関する。
【背景技術】
【０００２】
近年、駅務機器の自動化が進み、旅客等の利用者は、多方面のサービスを受けられるようになってきた。特に、自動改札機は、利用者が駅構内への入出場を行う際に、当該利用者が所持する乗車券の乗車情報を判定し、当該乗車情報の判定結果に基づいて利用者の通行の許可又は禁止を行う。
【０００３】
自動改札機には、通路幅が５７０mmで使用される一般用自動改札機と、通路幅が９００ｍｍで使用されるワイド用自動改札機がある。
【０００４】
図６は、ワイド用自動改札機２００の外形図である。図６（１）はワイド用自動改札機２００の正面図であり、同図（２）はワイド用自動改札機２００の平面図であり、同図（３）はワイド用自動改札機２００の側面図である。図示したワイド用自動改札機２００は通路幅が９００ｍｍに設定してあり、車椅子利用者や大型荷物を所持する利用者が自動改札機を利用する場合を考慮したものである。また、ワイド用自動改札機２００は、通路幅が広くなるため、当該通路幅の大きさに合わせてドア７Ｃ１・７Ｃ２が大きくなっている。
【０００５】
一般用自動改札機の進行方向の幅寸法は１６７０ｍｍとなっているのに対し、図６に示すワイド用自動改札機２００の進行方向幅寸法は、本体部分の幅寸法は一般用自動改札機の幅寸法１６７０ｍｍと同様であるが、ドア部分が突出しているために１９００ｍｍと長くなっている（例えば、特許文献１参照。）。
【先行技術文献】
【特許文献】
【０００６】
【特許文献１】特開平８−７７３９８号公報
【発明の概要】
【発明が解決しようとする課題】
【０００７】
上述した従来のワイド用自動改札機は、ラインナップとして存在するが、出荷台数が少なく製品コストが高いという課題がある。また、通路幅が広いワイド用自動改札機は車椅子の通過などのため、削減することができず、ワイド幅（９００ｍｍ）の通路に、一般用自動改札機を設置するとドアが小さいために通路中央部分に隙間ができ、不正利用者の通行を阻止できないという課題がある。
【０００８】
本発明は、上述した課題を解決するためになされたもので、ドアをドア本体部とこのドア本体部の先端から通路側に向かって進出又は後退可能にドア本体部内に収納されたドア可動部などで構成することにより、本実施例に係る自動改札機は、通常通路幅に設置する一般用自動改札機又は通常通路幅よりは広いワイド通路幅に設置するワイド用自動改札機の何れにも使用可能な自動改札機を提供することを目的とする。
【課題を解決するための手段】
【０００９】
上記目的を達成するために、本発明の請求項１記載の自動改札機は、自動改札機の通路を通過する利用者の通行を許可するドア開機能及び阻止するドア閉機能を備えた自動改札機であって、前記自動改札機に対して前記通路側に所定の角度回動動作を行うドア本体部と、このドア本体部先端から通路側に向かって進出又は後退可能に当該ドア本体部内に収納されたドア可動部と、このドア可動部を進出又は後退駆動する駆動手段と、前記ドア本体部の回動動作及び前記ドア可動部の駆動手段の動作を制御するドア制御部と、を備え、前記ドア制御部は、前記自動改札機が通常通路幅モードに設定された場合には、前記ドア可動部を前記ドア本体部内に収納した状態で前記ドア本体部を回動動作し、前記自動改札機が通常通路幅よりは広いワイド通路幅モードに設定された場合は、前記駆動手段を制御することにより前記ドア可動部を進出又は後退駆動することを特徴とする。
【図面の簡単な説明】
【００１０】
【図１】本実施例に係る自動改札機の外形図。
【図２】本実施例に係る一般用自動改札機の設置形態。
【図３】本実施例に係るワイド用自動改札機の設置形態。
【図４】本実施例に係るドア部の要部構成図。
【図５】本実施例に係るドア部の動作を説明する図。
【図６】従来のワイド用自動改札機の外形図。
【発明を実施するための形態】
【００１１】
以下、図面を参照して本実施例に係る自動改札機の動作を説明する。
【実施例１】
【００１２】
図１は、本実施例に係る自動改札機１の外形図である。図１（１）は自動改札機１の正面図であり、同図（２）は自動改札機１の平面図であり、同図（３）は自動改札機１の側面図である。
【００１３】
自動改札機１は、磁気乗車券投入部２、ＩＣカード読取部３、表示部４、ポール部５、通路表示部６、ドア部７、制御部（制御手段）１０などを有して構成される。
【００１４】
旅客等利用者は、当該自動改札機１を通過する場合には、所持する乗車券が磁気乗車券の場合には磁気乗車券投入部２に投入する。投入された乗車券は装置内部に取り込まれて、当該乗車券の乗車情報が制御部１０によって判定される。制御部１０は、乗車判定の結果、正常と判定した場合には、ドア７（７Ａ、７Ｂ、Ｃの総称）を開状態にし、利用者の通過を許可する。一方、乗車判定の結果、異常判定の場合には、ドア７を閉状態にし、利用者の通過を阻止する。その際、ポール部５の上部に配置された通路表示部６に設けられた異常表示灯を点灯すると共に警報器（図示しない）を鳴動して警報を発する。
【００１５】
なお、利用者が所持する乗車券がＩＣカードの場合には、当該ＩＣカードをＩＣカード読取部３に翳すことにより、ＩＣカードの乗車情報がＩＣカード読取部３によって読み取られ、上記制御部１０によって乗車判定が行われる。この乗車判定の結果は上記磁気乗車券の場合の乗車判定結果と同様である。
【００１６】
本実施例に係る自動改札機１には、当該自動改札機１の入場側にドア７Ａ１・７Ａ１及び出場側にドア７Ａ２・７Ａ２が配置される。また、それぞれのドア７Ａ１、７Ａ２は、ドア本体部７０とドア可動部７１で構成され、当該自動改札機１が設置される設置形態に応じて上記ドアのドア可動部が伸長する。
【００１７】
図２は、本実施例に係る自動改札機１を一般用自動改札機として使用した場合の設置形態の一例である。一般用自動改札機の場合は、通路幅が５７０ｍｍであり、ドア部７Ａ１・７Ａ１及び７Ａ２・７Ａ２のドア本体部７０にはドア可動部７１が収納された状態又はドア可動部７１を含まない状態で構成される。
【００１８】
図３は、本実施例に係る自動改札機１をワイド用自動改札機（図６参照）として使用した場合の設置形態の一例である。ワイド用自動改札機の場合は、通路幅が９００ｍｍと広いため、ドア部７Ａ１・７Ａ１及び７Ａ２・７Ａ２は、ドア本体部７０からドア可動部７１が伸長した状態で構成される。
【００１９】
図４は、本実施例に係るドア部７Ａ（７Ａ１、７Ａ２の総称）の腰部構成図である。図４（１）は、ドア７Ａの断面図で、図４（２）はドア７Ａの左側面図である。ここで、ドア７Ａ１及び７Ａ２は同様に構成されるため、特に区別する場合を除いて、ここではドア７Ａとして説明する。
【００２０】
ドア７Ａは、ドア本体部７０、ドア可動部７１、油圧シリンダ７３、軸７４、スライダガイド７２・７２及びドア制御部７５などを有して構成される。
【００２１】
ドア可動部７１は、油圧シリンダ７３の軸７４に接続され、ドア制御部７５によってドア本体７０及びドア可動部７１が動作する。
【００２２】
ドア本体部７０は、ドア閉時、図３に示す矢印Ａ方向に所定の角度回動動作を行う。この回動動作によって利用者の通行が阻止される。この回動動作中に、ドア可動部７１は、図４に示す矢印Ａ方向進出し、２点鎖線の位置で停止する。
【００２３】
また、ドア本体部７０は、ドア開時、図３に示す図示矢印Ｂ方向に所定の角度反転動作することにより、回動前の状態に復帰する。この反転動作によって利用者の通行が許可される。この反転動作時、ドア可動部７１は、図４に示す矢印Ｂ方向に後退し、初期状態の位置で停止する。
【００２４】
図５は、本実施例に係るドア部７Ａの動作を説明する図である。ドア部７Ａのドア本体部７０は、ドア制御部７５によって制御される。
【００２５】
ドア制御部７５は、本実施例の自動改札機の通路幅が、通常通路幅よりは広いワイド通路幅モードに設定された場合、ドア閉時、ドア本体部７０を、図示矢印Ａの軌跡に沿って初期状態Ｐ１からＰ２を経由してＰ３の状態まで回動動作する。ドア制御部７５はまた、この回動動作の際、ドア可動部７１を図示矢印Ｂの軌跡に沿って初期状態Ｐ１からＰ２ａを経由してＰ３ａの状態になるまで進出させることにより、通路側に所定の長さ伸長して停止する。
【００２６】
ドア制御部７５は、ドア開時、ドア本体部７０を、上記軌跡の反対方向に反転動作することにより初期状態Ｐ１に復帰する。ドア制御部７５はまた、この反転動作の際、ドア可動部７１を上記軌跡に沿って後退してドア本体部７０内に収納して初期状態Ｐ１に復帰する。
【００２７】
また、ドア制御部７５は、自動改札機が通常通路幅モードに設定された場合には、ドア可動部７１を前記ドア本体部７０内に収納した状態で前記ドア本体部７０の回動動作を行う。
【００２８】
以上の説明で明らかなように、以上の構成にすることにより、ドア部７Ａが開平するための開平時間は、従来の一般用自動改札機用又はワイド用自動改札機のドア部の開平時間と同一にすることができる。また、本実施例のドア部７Ａを従来の一般用自動改札機に用いることにより、通路幅の広いワイド用自動改札機としての使用が可能になる。
【００２９】
なお、本実施例のドア部７Ａを一般用自動改札機として用いる場合には、ドア可動部７１をドア７Ａに組み込まなければよく、又はドア制御部７５によるドア可動部７１の駆動を禁止又は機能を選択するように制御すれば足りる。
【００３０】
以上の構成にすることにより、従来、ワイド幅の通路に採用していた製品コストの高いワイド用自動改札機を使用する必要がなくなる。
【００３１】
また、一般用自動改札機を導入後、駅務システムの変更により、一般用自動改札機をワイド用自動改札機として運用する必要が発生した場合であっても本実施例に係る自動改札機を使用することができる。
【００３２】
なお、実施例では、ドア可動部を駆動する駆動手段として油圧シリンダを用いた場合を示したが、これに関わらず、公知技術であるリンク機構又はエアを駆動手段として用いることにより、同様の効果を得ることが可能である。
【符号の説明】
【００３３】
１  自動改札機
２  磁気乗車券投入部
３  ＩＣカード読取部
４  表示部
５  ポール部
６  通路表示部
７、７Ａ、７Ｂ、７Ｃ  ドア部
７０  ドア本体部
７１  ドア可動部
７２  スライダガイド
７３  油圧シリンダ
７４  軸
７５  ドア制御部
【図１】
2015056024.tif 000003
【図２】
2015056024.tif 000004
【図３】
2015056024.tif 000005
【図４】
2015056024.tif 000006
【図５】
2015056024.tif 000007
【図６】
2015056024.tif 000008